(57)【要約】【課題】使い勝手が良く、通気性と防犯性とを備えた建具を提供する。【解決手段】屋内と屋外との間に設けられた枠体と、前記枠体の屋外側又は屋内側のいずれか一方側に配置され、前記枠体に沿って移動可能な移動障子と、前記枠体の他方側に配置され、前記枠体と前記移動障子とにて形成される開口を開閉可能な開閉障子と、前記枠体と前記移動障子との間に介在されて前記開口を通気可能に覆うとともに前記移動障子の前記移動を規制し、前記開口を開放するとともに前記規制を解除する通気障子と、を有する。【選択図】図２
2009138391.tif 000002
【特許請求の範囲】
【請求項１】
屋内と屋外との間に設けられた枠体と、
前記枠体の屋外側又は屋内側のいずれか一方側に配置され、前記枠体に沿って移動可能な移動障子と、
前記枠体の他方側に配置され、前記枠体と前記移動障子とにて形成される開口を開閉可能な開閉障子と、
前記枠体と前記移動障子との間に介在されて前記開口を通気可能に覆うとともに前記移動障子の前記移動を規制し、前記開口を開放するとともに前記規制を解除する通気障子と、
を有することを特徴とする建具。
【請求項２】
請求項１に記載の建具であって、
前記開口は人間が出入り不能な大きさであることを特徴とする建具。
【請求項３】
屋内と屋外との間に設けられた枠体と、
前記枠体の屋外側又は屋内側のいずれか一方側に配置され、前記枠体に沿って移動可能な移動障子と、
前記枠体の他方側に配置され、前記枠体と前記移動障子とにて当該移動障子の前記枠体に沿う方向における両側にそれぞれ形成される開口を開閉可能な２つの開閉障子と、
前記枠体と前記移動障子との間に介在されて各々の前記開口を通気可能に覆うとともに前記移動障子の前記移動を規制し、各々の前記開口を開放するとともに前記規制を解除する２つの通気障子と、
を有することを特徴とする建具。
【請求項４】
請求項３に記載の建具であって、
前記開口は、前記移動障子の前記枠体に沿う方向における片側の開口のみが開放された状態で人間が出入り不能な大きさであり、
前記移動障子の前記枠体に沿う方向における両側の開口が開放されて前記移動障子を移動させることにより人間が出入り可能な大きさとなることを特徴とする建具。
【請求項５】
請求項１乃至請求項４のいずれかに記載の建具であって、
前記通気障子は、回動されて前記開口が開放される開き障子であることを特徴とする建具。
【請求項６】
請求項１乃至請求項５のいずれかに記載の建具であって、
前記通気障子は、ガラリを有することを特徴とする建具。
【発明の詳細な説明】
【技術分野】
【０００１】
本発明は、屋内と屋外との間に設けられた枠体と、枠体に設けられて開閉可能な障子を有する建具に関する。
【背景技術】
【０００２】
屋内と屋外との間に設けられた枠体と、枠体に設けられて開閉可能な障子を有する建具としては、例えば、枠体の屋内側と屋外側とに見付け方向に沿って設けられた２本のレール上をそれぞれ移動可能な２枚障子を備えた引き違いタイプの建具や、一方の障子が固定され他方の障子のみが移動可能な片引きタイプの建具、及び、一方の障子が固定され他方の障子が蝶番にて支持されて回動することにより開閉する開き障子を有する建具などが知られている。
【発明の開示】
【発明が解決しようとする課題】
【０００３】
上記従来の建具を備えた窓にて換気などのために障子を開けると、障子とほぼ同じ大きさにて屋内外を連通する開口が形成されてしまい防犯性が悪いという課題がある。また、一方の障子が固定された片引きタイプや開き障子を有するタイプの建具は、固定された障子の枠体側の外面を屋内側にいる人が拭くことや、固定された障子の枠体側で通気することができないなど使い勝手が悪いという課題がった。
【０００４】
本発明は、かかる課題に鑑みてなされたものであり、その目的とするところは、使い勝手が良く、防犯性を備えつつ通気可能な建具を提供することにある。
【課題を解決するための手段】
【０００５】
かかる目的を達成するために本発明の建具は、屋内と屋外との間に設けられた枠体と、前記枠体の屋外側又は屋内側のいずれか一方側に配置され、前記枠体に沿って移動可能な移動障子と、前記枠体の他方側に配置され、前記枠体と前記移動障子とにて形成される開口を開閉可能な開閉障子と、前記枠体と前記移動障子との間に介在されて前記開口を通気可能に覆うとともに前記移動障子の前記移動を規制し、前記開口を開放するとともに前記規制を解除する通気障子と、を有することを特徴とする建具である。
【０００６】
このような建具によれば、枠体と移動障子との間に通気障子が介在されて開口が通気障子にて覆われた状態であっても、通気障子は通気可能なので、開閉障子を開いておくことにより換気することが可能である。このため、開口を覆いつつ換気が可能なので防犯性を備えつつ通気可能な建具を実現することが可能である。また、通気障子が開口を覆っている際には移動障子の移動が規制されているので、枠体の内側が通気障子と移動障子とに覆われた状態が保たれるので高い防犯性を備えることが可能である。さらに、開口を覆っている通気障子を開いて開放すると移動障子が移動可能となる。このため、移動障子を挟んで通気障子が設けられている側とは反対側も開放させて通気させることが可能である。また、枠体に沿う方向において移動障子の両側を開放させることが可能なので、移動障子の両側から移動障子の外面を拭くことが可能である。このため使い勝手の良い建具を実現することが可能である。
【０００７】
かかる建具であって、前記開口は人間が出入り不能な大きさであることが望ましい。  
このような建具によれば、たとえ開閉障子及び通気障子のいずれもが開放された状態であっても開口からは人間が出入りできないので、外部の人間の進入を防止することが可能であり防犯性に優れた建具を提供することが可能である。
【０００８】
また、屋内と屋外との間に設けられた枠体と、前記枠体の屋外側又は屋内側のいずれか一方側に配置され、前記枠体に沿って移動可能な移動障子と、前記枠体の他方側に配置され、前記枠体と前記移動障子とにて当該移動障子の前記枠体に沿う方向における両側にそれぞれ形成される開口を開閉可能な２つの開閉障子と、前記枠体と前記移動障子との間に介在されて各々の前記開口を通気可能に覆うとともに前記移動障子の前記移動を規制し、各々の前記開口を開放するとともに前記規制を解除する２つの通気障子と、を有することを特徴とする建具である。
【０００９】
このような建具によれば、枠体と移動障子との間に通気障子が介在されて移動障子の両側の開口が通気障子にて覆われた状態であっても、通気障子は通気可能なので、開閉障子を開いておくことにより両方の開口からそれぞれ換気することが可能である。このため、開口を覆いつつ換気が可能なので防犯性を備えつつ通気可能な建具を実現することが可能である。また、通気障子が開口を覆っている際には移動障子の移動が規制されているので、枠体の内側が２つの通気障子と移動障子とに覆われた状態が保たれるので、高い防犯性が確保される。さらに、開口を覆っている２つの通気障子を開いて開放すると移動障子が移動可能となる。このとき、移動障子を枠体に沿う方向における一方の側に移動させると、移動させた側とは反対側に２つの開口を合わせたサイズの大きな開口が形成される。このため、防犯性を備えつつ通気可能であるとともに、大きく開放して例えば外面がより拭きやすい使い勝手の良い建具を提供することが可能である。
【００１０】
かかる建具であって、前記移動障子の前記枠体に沿う方向における片側の開口のみが開放された状態で人間が出入り不能な大きさであり、前記移動障子の前記枠体に沿う方向における両側の開口が開放されて前記移動障子を移動させることにより人間が出入り可能な大きさとなることが望ましい。  
このような建具によれば、たとえ移動障子の前記枠体に沿う方向における片側の開閉障子及び通気障子のみが開放された状態であっても開口からは人間が出入りできず、外部の人間の進入を防止することが可能なので高い防犯性を備えることが可能である。また、移動障子の枠体に沿う方向における両側の開口を開放させて移動障子を移動させることにより人間が出入り可能となるので、使い勝手の良い建具を提供することが可能である。
【００１１】
かかる建具であって、前記通気障子は、回動されて前記開口が開放される開き障子であることが望ましい。  
このような建具によれば、枠体と移動障子との間に介在されて開口を覆う通気障子は、開き障子なので、開口を開放する際には、戸先框側が移動障子の移動領域から外れて、枠体の外側に移動し、通気障子が開口に対して交差する方向に沿うように配置される。このため、通気障子が介在されていた、枠体と移動障子との間の領域が、移動障子が移動可能な領域となる。よって、通気障子を、回動されて開口が開放される開き障子とすることにより、通気障子が開口を覆う際には、移動障子の移動を規制し、開口を開放する際には、移動障子の移動に対する規制を解除する構成を実現することが可能である。
【００１２】
かかる建具であって、前記通気障子は、ガラリを有することが望ましい。  
このような建具によれば、通気障子にはガラリが設けられているので、雨水などの進入を防ぎつつ通気することが可能である。このため、雨天であっても換気可能な建具を提供することが可能である。
【発明の効果】
【００１３】
本発明によれば、使い勝手が良く、防犯性を備えつつ通気可能な建具を提供することが可能である。
【発明を実施するための最良の形態】
【００１４】
以下、本発明の一実施形態に係る建具について図面を参照して説明する。  
以下の説明では、建具を屋外側から見たときに上下となる方向を上下方向、左右となる方向を左右方向または見付け方向、屋内外方向である奥行き方向を見込み方向として示す。
【００１５】
本実施形態の建具１０は、図１、図２に示すように、屋内と屋外との間に設けられた枠体１２と、枠体１２の屋外側に配置され、見付け方向に移動可能な移動障子２０と、枠体１２の屋内側に配置され、枠体１２と移動障子２０とにて当該移動障子２０の見付け方向における両側にそれぞれ形成される開口１０ａを開閉可能な２つの開閉障子２２と、枠体１２と移動障子２０との間に介在されて各々の開口１０ａを通気可能に覆うとともに移動障子２０の移動を規制し、開口１０ａを開放するとともに移動障子２０の移動に対する規制を解除する２つの通気障子２４、２６と、を有している。
【００１６】
枠体１２は、上下の横枠１２ａと左右の縦枠１２ｂ、１２ｃとが矩形状に接合され、例えば建物等の躯体に設けられている。上下の横枠１２ａには、移動障子２０及び開閉障子２２を見付け方向に沿って案内するための２本のレール１２ｄ、１２ｅが、見込み方向に並べて設けられている。ここでは、屋外側に設けられているレール１２ｄが移動障子２０を案内するためのレール１２ｄであり、屋内側に設けられているレール１２ｅが開閉障子２２を案内するためのレール１２ｅである。
【００１７】
移動障子２０は、矩形状の框２０ａにガラス２１が嵌め込まれており、移動しない状態で枠体１２の見付け方向においてほぼ中央に配置されている。移動しない状態の移動障子２０の見付け方向における両側には、枠体１２と移動障子２０の左側の縦框２０ｂとにて左側の開口１０ａと、枠体１２と移動障子２０の右側の縦框２０ｃとにて右側の開口１０ａとが形成される。左側の開口１０ａと右側の開口１０ａとは、防犯性を考慮して見付け方向の幅が狭く、人間が出入りできない大きさに形成されている。
【００１８】
ここで、人間が出入りできない大きさの開口とは、例えば、財団法人全国防犯協会連合会の「防犯性能の高い建物部品の開発と普及に関する官民合同会議」にて防犯建物部品として定められた次の規定を満たすものであり、その規定とは、「次のブロック（１）４００ｍｍ×２５０ｍｍの長方形（２）４００ｍｍ×３００ｍｍの楕円形（３）直径が３５０ｍｍの円のいずれも通過が不可能と認定された開閉機構を有するサッシ枠」である。
【００１９】
移動障子２０は、下の横枠１２ａと係合して見付け方向への移動を規制するロック機構２９を有している。このロック機構２９は屋内側からの操作により解除することが可能である。
【００２０】
開閉障子２２は、移動障子２０より屋内側に設けられており、矩形状の框２２ａにガラス２３が嵌め込まれている。建具１０は、見付け方向に移動して左側の開口１０ａを開閉可能な左側の開閉障子２２と、見付け方向に移動して右側の開口１０ａを開閉可能な右側の開閉障子２２とを有している。左右の開閉障子２２はそれぞれ移動障子２０と係合するクレセント（不図示）にて施錠可能に構成されている。
【００２１】
通気障子２４、２６は、互いに対向する２本の縦框２４ａ、２６ａ間に、複数のガラリ構成板２５が設けられたガラリ２８を有している。縦框２４ａ、２６ａは、互いに対向する部位が開放されてガラリ構成板２５の端部が収容されるアルミニウム製の押出部材である。ガラリ構成板２５は、図３に示すように、縦框２４ａ、２６ａの屋内側に配置されてほぼ鉛直な面をなす上壁部２５ａと、縦框の屋外側に配置されてほぼ鉛直な面をなす下壁部２５ｂとが、上下方向のほぼ中央にて連結部２５ｃにて連結されている。連結部２５ｃは、屋外側が屋内側より低くなるように傾斜している。
【００２２】
そして、複数のガラリ構成板２５は、上下方向に互いに間隔を隔てて、すなわち上下に隣接する２つのガラリ構成板２５において、下側のガラリ構成板２５の上壁部２５ａの上端部２５ｄと上側のガラリ構成板２５の上壁部２５ａと連結部２５ｃの境界部２５ｅとが上下に間隔を隔てて配置され、上側のガラリ構成板２５の下壁部２５ｂの下端部２５ｆと下側のガラリ構成板２５の下壁部２５ｂと連結部２５ｃの境界部２５ｇとが上下に間隔を隔てて配置されている。また、下側のガラリ構成板２５の上壁部２５ａの上端部２５ｄは上側のガラリ構成板２５の下壁部２５ｂの下端部２５ｆより高い位置に配置され、上側のガラリ構成板２５の下壁部２５ｂの下端部２５ｆは下側のガラリ構成板２５の上壁部２５ａの上端部２５ｄより低い位置に配置されている。このため、通気障子２４、２６の屋内側と屋外側の空間とは連通しているが、屋内側から屋外側を、屋外側から屋内側を視認することができないように構成されている。すなわち、通気障子２４、２６は、通気可能である一方で、雨水等が屋外側から屋内側へ進入することを防止している。このような複数のガラリ構成板２５は、左右の両端部が縦框２４ａ、２６ａに収容されて一体に固定されている。また、通気障子２４、２６の上框２４ｂ、２６ｂ及び下框２４ｃ、２６ｃは、ガラリ構成板２５と框とが一体に構成されている。
【００２３】
移動障子２０の左側に配置された左通気障子２４は左側の縦框２４ａが左の縦枠１２ｂに、移動障子２０の右側に配置された右通気障子２６は右側の縦框２６ａが右の縦枠１２ｃに、それぞれ屋外側にて回動自在に支持された開き障子である。そして、通気障子２４、２６は、枠体１２と移動障子２０との間に介在されて、枠体１２と移動障子２０とにて形成される開口１０ａを通気可能に覆う状態から、縦枠１２ｂ、１２ｃに支持された支持部を軸として回動するように構成されている。
【００２４】
また、通気障子２４は、屋内側にて移動障子２０又は枠体１２と係合して、回動を規制する回動規制機構（不図示）を有しており、屋内側にて回動規制機構を解除することにより、通気障子２４の回動が許容されるように構成されている。
【００２５】
通気障子２４、２６が、枠体１２と移動障子２０との間に介在されて開口１０ａを通気可能に覆う状態では、移動障子２０が案内されるレール１２ｄ上に通気障子２４、２６が位置するため、移動障子２０の見付け方向への移動が規制されている。
【００２６】
そして、通気障子２４、２６が開放される際には、通気障子２４、２６の戸先框側が移動障子２０の移動領域から外れて枠体１２の外側に移動し、通気障子２４、２６が開口１０ａに対し交差する方向に沿うように配置される。このとき、通気障子２４、２６が介在されていた、枠体１２と移動障子２０との間の領域は、通気障子２４、２６が屋外側に回動されて開口１０ａが開放されると移動障子２０が移動可能な領域となるため、通気障子２４、２６による移動障子２０の見付け方向の移動に対する規制が解除される。このため、開閉障子２２を開き、通気障子２４、２６を回動して開口１０ａを開放した後に、下の横枠１２ａと係合されているロック機構２９を解除することにより、移動障子２０が、開放された開口１０ａ側に移動可能となる。
【００２７】
また、このとき、左右の通気障子２４、２６がいずれも屋外側に開かれている場合には、移動障子２０は枠体１２内を見付け方向の全域に亘って移動することが可能である。このため、移動障子２０を、左右の縦枠１２ｂ、１２ｃのいずれかの側に移動させると、移動障子２０が見付け方向の中央に配置されている際に形成される開口１０ａの約２倍の幅を有する開口を形成することが可能である。
【００２８】
そして、移動障子２０を枠体１２の見付け方向における中央に位置させるとともに通気障子２４、２６を枠体１２と移動障子２０との間に介在させた状態で、開閉障子２２を開くことにより、防犯性を備えた状態にて通気することが可能である。また、回動規制機構を解除して通気障子２４、２６を屋外側に回動させて開いた状態で移動障子２０のロック機構２９を外し、移動障子２０を左右の縦枠１２ｂ、１２ｃのいずれかの側に移動させることにより、枠体１２内に人間が出入り可能な開口を形成することが可能である。このため、移動障子２０の外面を拭く場合等に、屋外側に身を乗り出すことが可能となり、使い勝手の良い建具を提供することが可能である。
【００２９】
また、建具１０は、通気障子２４、２６がガラリ２８を有しているので、通気障子２４、２６を閉めて通気可能な状態であっても、雨水などが屋内側に進入することを防止することが可能である。このため、雨天であっても換気可能な建具１０を提供することが可能である。
【００３０】
上記実施形態の建具１０は、枠体１２の見付け方向の中央に配置された移動障子２０の両側にそれぞれ形成される２つの開口１０ａを各々開閉可能な２つの開閉障子２２と、各々の開口１０ａを通気可能に覆う２つの通気障子２４と、を有する例について説明したが、これに限るものではない。
【００３１】
次に、上記実施形態の変形例を説明する。以下の説明において、上記実施形態と同様の部材には同じ符号を付して説明を省略する。
【００３２】
第１変形例の建具１１は、例えば図４に示すように、枠体１２の見付け方向の左側に配置された移動障子２０の右側に形成される開口１０ａを開閉可能な開閉障子２２と、開口１０ａを通気可能に覆う通気障子２４とを有している。
【００３３】
建具１１の上下の横枠１２ａには、見付け方向に沿って２本のレールが見込み方向に沿って並べて設けられており、屋外側のレールに沿って移動障子２０が移動され、屋内側のレールに沿って開閉障子２２が移動する。
【００３４】
移動障子２０は、枠体１２の見付け方向において左側に配置されている。移動障子２０の見付け方向における右側には、枠体１２と移動障子２０の右側の縦框２０ｃとにて開口１０ａが形成される。開口１０ａは、防犯性を考慮して見付け方向の幅が狭く、人間が出入りできない大きさに形成されている。移動障子２０には、下の横枠１２ａと係合して移動障子２０の移動を規制するロック機構（不図示）が設けられている。
【００３５】
通気障子２６は、右側の縦框２６ａが枠体１２の右の縦枠１２ｃに、屋外側にて回動自在に支持されている。通気障子２４が枠体１２と移動障子２０との間に介在されて、枠体１２と移動障子２０とにて形成される開口１０ａを通気可能に覆う状態から、縦枠１２ｃに支持された支持部を軸として回動して開口１０ａを開放することが可能である。
【００３６】
このとき、通気障子２６が枠体１２と移動障子２０との間に介在された状態では、通気障子２４が屋外側のレール上に位置するため移動障子２０の見付け方向への移動が規制される。また、通気障子２６が屋外側に回動されて開口１０ａが開放された状態では、移動障子２０の見付け方向の移動に対する規制が解除される。このため、開閉障子２２を開き、通気障子２６を回動して開口１０ａを開放し、下の横枠１２ａと係合されているロック機構を解除することにより、移動障子２０が右方向に移動可能となる。このため、移動障子２０を枠体１２の見付け方向における左側に位置させるとともに通気障子２６を枠体１２と移動障子２０との間に介在させた状態で開閉障子２２を開くことにより、防犯性を備えつつ通気することが可能である。
【００３７】
上記実施形態及び第１変形例においては、いずれも移動障子２０及び通気障子２４、２６が屋外側に配置され、開閉障子２２が屋内側に配置された例について説明したが、図５（ｂ）、図５（ｄ）に示すように、移動障子２０及び通気障子２４、２６が屋内側に配置され、開閉障子２２が屋外側に配置されていてもよい。ここで、図５（ａ）〜図５（ｈ）は、建具の変形例における各障子２０、２２、２４、２６の配置を示す水平断面の模式図であり、図５（ａ）は上記実施形態の建具１０の模式図、図５（ｃ）は上記第１変形例の建具１１の模式図をそれぞれ示している。
【００３８】
また、上記実施形態及び第１変形例では、開閉障子２２が見付け方向に移動する障子であったが、図５（ｅ）、図５（ｆ）に示すように、通気障子２４、２６と同様に枠体１２に支持されて通気障子２４、２６とは反対方向に回動する開き障子２７であってもよい。このとき、移動障子２０及び開閉障子２２はいずれが屋外側に配置されていても良い。
【００３９】
また、上記実施形態及び第１変形例では、移動障子２０がロック機構を有していたが、必ずしもロック機構を有していなくともよく、例えば、通気障子２４，２６が開放された状態で、移動障子２０と開閉障子２２とがいずれも見付け方向に移動自在な引き違いタイプの建具であっても構わない。
【００４０】
上記実施形態及び変形例においては、移動障子２０がいずれも見付け方向に移動する例について説明したが、例えば図５（ｇ）、図５（ｈ）に示すように、上下方向に移動する移動障子３０及び開閉障子３２と上框側又は下框側が回動自在に支持された通気障子３４を備えた建具であっても構わない。
【００４１】
また、上記実施形態及び変形例においては、通気障子２４、２６が回動自在に枠体１２に支持されている例について説明したが、例えば、通気障子が移動障子に回動自在に支持されていても良い。また、通気障子２４、２６を回動して開口１０ａを開放する開き障子を例に挙げて説明したが、通気障子は、倹飩式にて枠体に取り付けられているものでもよい。倹飩式にて取り付けられた通気障子は、開口１０ａを開放する際には取り外される。
【００４２】
上述した建具は、いずれも建物の外壁等に縦方向及び横方向に並べて設けられていたり、複数の建具が他の枠により一体化されて設けられていてもよい。さらに、枠体１２内に４枚以上の障子が設けられており、それら障子のうち開放可能な開閉障子と対面する位置に通気障子を設け、通気障子が閉じられている状態で移動障子の移動を規制するように構成されていても良い。
【００４３】
上記実施形態及び変形例における開口１０ａは、いずれも人間が出入りできない大きさの開口としたが、これに限るものではない。開口１０ａから人間が出入りできたとしても、枠体１２と移動障子２０との間に介在されて開口を通気可能に覆う通気障子２４、２６が移動障子２０の移動を規制していれば、防犯性を備えつつ通気可能な建具を実現することが可能であり、開口を開放した際には、十分に広い開口が開放されるので外面側を拭くなどの清掃作業がし易く使い勝手の良い建具を実現することが可能である。
【００４４】
また、通気障子２４、２６がガラリ２８を備えた例について説明したが、これに限らず、例えば面格子や鎧戸など、開口を覆いつつ通気が可能な障子であれば構わない。また、通気障子は、ガラリ、面格子、鎧戸などとともに網戸を備えた構成としても良い。
【００４５】
また、上記実施形態においては、ガラリ２８が有する複数のガラリ構成板２５が固定されている例について説明したが、各ガラリ構成板が回動自在に支持されて、ガラリ構成板の角度が変更可能な構成であっても良い。
【００４６】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４７】
【図１】本実施形態に係る建具を屋外側からみた外観図である。
【図２】本実施形態に係る建具の平断面図である。
【図３】図２におけるＡ−Ａ断面図である。
【図４】第１変形例の建具を屋外側からみた外観図である。
【図５】建具の変形例を説明するための模式図である。
【符号の説明】
【００４８】
１０  建具、１０ａ  開口、１１  建具、１２  枠体、２０  移動障子、
２２  開閉障子、２４  左通気障子（通気障子）、２６  右通気障子（通気障子）、
２８  ガラリ、３０  移動障子、３２  開閉障子、３４  通気障子
【図１】
2009138391.tif 000003
【図２】
2009138391.tif 000004
【図３】
2009138391.tif 000005
【図４】
2009138391.tif 000006
【図５】
2009138391.tif 000007